(57)【要約】【解決すべき課題】階段構成部材点数を極限まで少なくして現場における組み立て作業を軽減すると共に、外部足場等を不要として作業現場環境も大幅に改善することのできるプレキャストコンクリート製の階段ユニット及び組立階段を提供する。【課題を解決するための手段】階段主体をなす段版部１、当該段版部１の上下端部に連続するフラット部２、前記段版部１の一側面に繋がる垂直壁をなす束壁部３、当該束壁部３に対向位置して前記段版部１の他側面に繋がる第１の手摺部４Ａとを有すると共に、当該第１の手摺部４Ａの側縁に連続して前記フラット部２の外側縁を覆う第２の手摺部７Ａを一体成形してプレキャストコンクリート製階段ユニットを得るようにした。【選択図】図５
2005146687.tif 000002
【特許請求の範囲】
【請求項１】
階段主体をなす段版部、当該段版部の上下端部に連続するフラット部、前記段
版部の一側面に繋がる垂直壁をなす束壁部、当該束壁部に対向位置するように前
記段版部の他側面に繋がる手摺部を一体成形してなることを特徴とするプレキャ
ストコンクリート製階段ユニット。
【請求項２】
階段主体をなす段版部、当該段版部の上下端部に連続するフラット部、前記段
版部の一側面に繋がる垂直壁をなす束壁部、当該束壁部に対向位置するように前
記段版部の他側面に繋がる手摺部を一体成形してなる階段ユニット同士を、前記
段版部の位置を前記束壁部に対して互い違いとなるように束壁部同士を積み上げ
て上下方向において継接し、フラット部同士の当接縁を継手筋結合又は溶接ある
いはボルト締めによって固定すると共に、フラット部同士の開口部にプレキャス
トコンクリート製の手摺版を取付けるようにしたことを特徴とするプレキャスト
コンクリート製組立階段。
【請求項３】
階段主体をなす段版部、当該段版部の上下端部に連続するフラット部、前記段
版部の一側面に繋がる垂直壁をなす束壁部、当該束壁部に対向位置して前記段版
部の他側面に繋がる第１の手摺部とを有すると共に、当該第１の手摺部の側縁に
連続して前記フラット部の外側縁を覆う第２の手摺部を一体成形してなることを
特徴とするプレキャストコンクリート製階段ユニット。
【請求項４】
階段主体をなす段版部、当該段版部の上下端部に連続するフラット部、前記段
版部の一側面に繋がる垂直壁をなす束壁部、当該束壁部に対向位置して前記段版
部の他側面に繋がる第１の手摺部とを有すると共に、当該第１の手摺部の側縁に
連続して前記フラット部の外側縁を覆う第２の手摺部を一体成形してなる階段ユ
ニット同士を、前記段版部の位置を前記束壁部に対して互い違いとなるように束
壁部同士を積み上げて上下方向において継接し、第２の手摺部及びフラット部同
士の当接縁を継手筋結合又は溶接あるいはボルト締めによって固定するようにし
たことを特徴とするプレキャストコンクリート製組立階段。
【発明の詳細な説明】
【技術分野】
【０００１】
本発明はプレキャストコンクリート製の階段ユニット及び当該階段ユニットを
用いた組立階段に関する。
【背景技術】
【０００２】
現場打設による鉄筋コンクリート構造の階段施工には多くの手間とコストを要
することから、現場における型枠工事や、配筋工事、コンクリート打設工事等を
排することができるプレキャストコンクリート製の組立階段が注目され、次に示
す特許文献にも開示されているようにこれまでに数多くの改良、工夫がなされて
きている。
【特許文献１】特開平５−１７１７６９号公報
【特許文献２】特開平７−２０７８６２号公報
【特許文献３】特開平８−４２３３号公報
【特許文献４】実開昭６３−１７７５２８号公報
【特許文献５】実開平５−４０４５９号公報
【発明の開示】
【発明が解決しようとする課題】
【０００３】
上記した従来技術のうち、特開平５−１７１７６９号に係るプレキャストコン
クリート階段ユニットは、階段部分とその上下の踊り場部分及びスチール製の本
設手摺りを含む構成が一つにユニット化されている。
【０００４】
特開平７−２０７８６２号に係るプレキャストコンクリート階段は、上下階の
プレキャストコンクリート階段壁板を接合し、同壁板の側縁に形成した係止凹部
にプレキャストコンクリート受梁を係着させ、同受梁上にプレキャストコンクリ
ート段板の上下端部に一体に延設された踊場を支承させるようにしている。
【０００５】
特開平８−４２３３号に係る組み立て階段は、壁板を上下方向に継ぎ合わせて
形成された壁柱の両側面に段板が方向を変えて交互に取り付けられ、一方の段板
の上段部と他方の段板の下段部とが壁柱の短辺側両端部に取り付けた踊り場板で
接合される構造となっている。
【０００６】
実開昭６３−１７７５２８号に係る組立て階段は、中柱部と段板部と該中柱部
から突出する梁部とをプレキャスト鉄筋コンクリートにより一体成形した階段本
体と、該階段本体に取付けられるプレキャスト鉄筋コンクリートにより成形され
た踊場板とを備え、段板部の位置を中柱部に対して互い違いにして階段本体を積
み上げ、踊場板を中柱部の梁部によって支持するように構成したものである。
【０００７】
さらに、実開平５−４０４５９号に係るＰＣ階段用部材は、上面に接続用鉄筋
を突出させると共に下面に嵌合用凹部を有した壁体を備え、該壁体と一体的に構
成された踊り場とから構成されている。
【０００８】
上記のように、従来のプレキャストコンクリート製階段ユニットは、段版部と
踊場部、束壁部等、各階段要素がそれぞれ別体として形成されていたり、あるい
は段版部と踊場部が一体成形のプレキャスト化されているとしても、束壁部が別
仕様になっていたり、さらに束壁部と段版部が一体化されていても、踊場板が別
構成となっていて、現場において各パーツを組み立てなければならず、クレーン
等の揚重機による吊り上げ回数が増えて現場作業が煩雑になるという問題点があ
る。
【０００９】
また、前記実開昭６３−１７７５２８号公報には、中柱部と段板部と該中柱部
から突出する梁部とを一体成形したプレキャスト鉄筋コンクリート製の階段ユニ
ットが開示されているものの、当該中柱部（束壁部）に対向位置する段板部の他
側面はそのままの開放状態となっており、現場において別途コンクリート打設に
より手摺部を設けなければならないし、踊場板の周囲にも手摺部を別途構築しな
ければならないという問題点がある。なお、前記特開平５−１７１７６９号公報
には、階段部分とその上下の踊り場部分及び本設手摺りを含む構成が一つにユニ
ット化されたプレキャストコンクリート階段ユニットが示されているが、当該本
設手摺りはスチール製のものであって、下部にフラットバーを用い、当該フラッ
トバーを一体化した本設手摺り打込みササラＰＣａ板を蹴込みＰＣａ板と共に組
込んでコンクリートを打設するという面倒な手間が必要となってくる。
【００１０】
そこで、本発明は前記した従来の現場組立型プレキャストコンクリート製階段
の問題点を解消し、階段構成部材点数を極限まで少なくして現場における組み立
て作業を軽減すると共に、束壁部が連設された段版部の他側縁に手摺部を一体化
し、また場合によっては構成部材を２ピース化するため段版部の他側縁に繋がる
手摺部を第１の手摺部として、この第１の手摺部の側縁に連続して踊場板ともな
るフラット部の外側縁を覆う第２の手摺部を一体的にプレキャスト化して現場作
業を一層簡素化できるようにしたプレキャストコンクリート製の階段ユニット及
び組立階段を提供することを目的とするものである。
【課題を解決するための手段】
【００１１】
上記目的を達成するための本発明の構成を詳述すれば、請求項１に係る発明は
、階段主体をなす段版部、当該段版部の上下端部に連続するフラット部、前記段
版部の一側面に繋がる垂直壁をなす束壁部、当該束壁部に対向位置するように前
記段版部の他側面に繋がる手摺部を一体成形してなることを特徴とするプレキャ
ストコンクリート製階段ユニットである。
【００１２】
請求項２に係る発明は、階段主体をなす段版部、当該段版部の上下端部に連続
するフラット部、前記段版部の一側面に繋がる垂直壁をなす束壁部、当該束壁部
に対向位置するように前記段版部の他側面に繋がる手摺部を一体成形してなる階
段ユニット同士を、前記段版部の位置を前記束壁部に対して互い違いとなるよう
に束壁部同士を積み上げて上下方向において継接し、フラット部同士の当接縁を
継手筋結合又は溶接あるいはボルト締めによって固定すると共に、フラット部同
士の開口部にプレキャストコンクリート製の手摺版を取付けるようにしたことを
特徴とするプレキャストコンクリート製組立階段である。
【００１３】
請求項３に係る発明は、階段主体をなす段版部、当該段版部の上下端部に連続
するフラット部、前記段版部の一側面に繋がる垂直壁をなす束壁部、当該束壁部
に対向位置して前記段版部の他側面に繋がる第１の手摺部とを有すると共に、当
該第１の手摺部の側縁に連続して前記フラット部の外側縁を覆う第２の手摺部を
一体成形してなることを特徴とするプレキャストコンクリート製階段ユニットで
ある。
【００１４】
さらに、請求項４に係る発明は、階段主体をなす段版部、当該段版部の上下端
部に連続するフラット部、前記段版部の一側面に繋がる垂直壁をなす束壁部、当
該束壁部に対向位置して前記段版部の他側面に繋がる第１の手摺部とを有すると
共に、当該第１の手摺部の側縁に連続して前記フラット部の外側縁を覆う第２の
手摺部を一体成形してなる階段ユニット同士を、前記段版部の位置を前記束壁部
に対して互い違いとなるように束壁部同士を積み上げて上下方向において継接し
、第２の手摺部及びフラット部同士の当接縁を継手筋結合又は溶接あるいはボル
ト締めによって固定するようにしたことを特徴とするプレキャストコンクリート
製組立階段である。
【００１５】
なお、請求項１及び請求項３に係る段版部、フラット部、束壁部及び第１、第
２の手摺部を含めた全体を一体的に具備したプレキャストコンクリート製階段ユ
ニットは、建築現場とは別のプレキャスト専門の工場において反復使用可能な型
枠を組み込んで、各種配筋の後コンクリートを打ち込み、硬化後型枠を取り外す
ことによって製することができる。
【発明の効果】
【００１６】
本発明に係るプレキャストコンクリート製階段ユニットは、以上のように階段
主体をなす段版部の上下端部に踊場ともなるフラット部を連設すると共に、前記
段版部の一側面に垂直壁をなす束壁部を一体的に連設し、且つ当該束壁部に対向
位置して前記段版部の他側面に繋がる手摺部も一体的にプレキャス化し、さらに
場合によっては、束壁部に対向位置して段版部の他側面に繋がる手摺部を第１の
手摺部となし、当該第１の手摺部の側縁に連続して前記フラット部の外側縁を覆
う第２の手摺部を一体成形するようにしたもので、一フロア分を２ピース化又は
３ピース化が実現でき、現場における組み付け作業をスムーズに行うことができ
、作業時間、コストを大幅に削減することができる。
【００１７】
また、第１の手摺部及び第２の手摺部を、強度的にも意匠的にも効果の大きい
プレキャスト化としたので、耐震、耐圧強度のみならず見栄えの良好なプレキャ
ストコンクリート製組立階段を提供することができる。
【発明を実施するための最良の形態】
【００１８】
以下、図面に基づき本発明に係るプレキャストコンクリート製階段ユニット及
び組立階段の具体的構成を詳細に説明する。
図１は一フロア分を３ピース化した階段ユニット及び当該階段ユニットを用い
た組立階段の斜視図、図２は図１に示す組立階段の側面図、図３は図１に示す組
立階段の平面図、図４はフラット部同士の開口部におけるプレキャストコンクリ
ート製手摺版の取付部の部分拡大断面図、図５は一フロア分を２ピース化した階
段ユニット及び当該階段ユニットを用いた組立階段の斜視図、図６は図５に示す
組立階段の側面図、図７は図５に示す組立階段の平面図である。
【００１９】
図中１は踏み面と蹴込み部を連続して形成した階段主体をなす段版部、２は当
該段版部１の上下端部に連続して形成した踊り場ともなるフラット部、３は前記
段版部１の一側面に連設した垂直壁をなす束壁部、４は当該束壁部３に対向位置
するように段版部１の他側面に一体的に連設した手摺部である。なお、図示しな
い躯体側に固定することとなるフラット部２の先端面には、躯体側に突設してあ
る鉄筋と結合させるための継手筋５を突成してあると共に、束壁部３の上端面に
は、上段に位置することとなる他方の束壁部３の下端面に形成してある嵌合凹部
ないしスリーブに挿着するための継手筋６を突成してある。
【００２０】
図１ないし図４に示す実施例のプレキャストコンクリート製階段ユニットＰは
、このように段版部１、フラット部２、束壁部３及び手摺部４が一体化されてお
り、現場組み立てにあたっては、階段ユニットＰ同士を、前記段版部１の位置が
前記束壁部３に対して互い違いとなるようにして下段に位置する束壁部３の上端
面に突設してある継手筋６を、上段に位置することとなる束壁部３の下端面に形
成してある嵌合凹部ないしスリーブ内に挿着し、図示しないグラウト注入孔より
モルタルを充填する等して束壁部３，３同士を上下方向に継接するものである。
【００２１】
また、それぞれのフロアの下段に位置することとなる階段ユニットＰの上側の
フラット部２と、上段に位置することとなる階段ユニットＰの下側のフラット部
２の当接縁部同士は特に図示しないが、適宜継手筋結合、又は溶接、あるいはボ
ルト締めによって固定する。なお、束壁部３，３同士の結合は上記したように、
下段に位置する束壁部３の上端面に突設してある継手筋６を、上段に位置するこ
ととなる束壁部３の下端面に形成してある嵌合凹部ないしスリーブ内に挿着する
ことによって行われるものであるため、揚重機等によって吊り上げた階段ユニッ
トＰ同士の組み付けが円滑になされるよう、フラット部２，２の当接縁部同士を
継手筋結合するときは、上段側の継手筋を下段側の継手筋に障害なく結合させる
ことができるよう下段側のフラット部２の当接縁部付近に凹溝を形成して、当該
凹溝内において継手筋を露出させておくようにするとよい。この凹溝は階段ユニ
ットの組み立て後にモルタル充填による化粧仕上げ等によって処理される。
【００２２】
図１ないし図４に示す実施例の場合、フラット部２，２同士の接合面に直交す
る面は大きな開口部として現れることになるが、当該開口部には別途製作したプ
レキャストコンクリート製の手摺版７を取付ける。当該手摺版７の取付けにあた
っては、プレキャストコンクリート製の手摺版７の下端部に補強を兼ねた継手筋
８を所定間隔毎に突設しておき、この継手筋８をフラット部２の側縁に形成した
挿通孔９内を通し、当該挿通孔９を貫通してフラット部２に形成した凹溝１０内
に露出した継手筋８の先端部にワッシャ付きナット１１を螺着して締め付け固定
する。このように、この実施例においてはプレキャストコンクリート製手摺版７
の取付けにあたって、ナットを用いるようにしているが、これに代えて溶接手段
を用いてもよいのは勿論である。
【００２３】
プレキャストコンクリート製手摺版７とフラット部２の当接面には合成ゴム等
によって作製されたシール部材１２を適宜挿着するようにするとよい。なお、図
４に示す１３はフラット部２の上面側周囲に凹設した排水溝である。
【００２４】
上記した実施例の場合、一フロア分を、２つの階段ユニットＰと、１つの手摺
版の合計３ピースで実現することができ、従来の組立階段と較べて揚重機等によ
る吊り上げ回数を減ずることが可能となり現場作業が大幅に改善される。このよ
うに、本発明によった場合は、建築物に沿って建つ外部階段をきわめて短い工期
で施工することができるので、当該階段通路を諸種の作業路として用いることが
でき、建築物全体の工期の短縮にも寄与するものである。
【００２５】
次に、図５ないし図７に示す実施例は、一フロア分を、２つの階段ユニットの
みによって実現できるようにしたものであり、この実施例における階段ユニット
Ｐは、階段主体をなす段版部１、当該段版部１の上下端部に連続するフラット部
２、前記段版部１の一側面に繋がる垂直壁をなす束壁部３、当該束壁部３に対向
位置して前記段版部１の他側面に繋がる第１の手摺部４Ａとを有すると共に、当
該第１の手摺部４Ａの側縁に連続して前記フラット部２の外側縁を覆う第２の手
摺部７Ａを一体成形してなるものである。
【００２６】
この実施例における階段ユニットＰ同士の継接は、前記第一の実施例の場合よ
りさらに省力化が図られるようになる。すなわち、この実施例においては束壁部
３に対向位置して段版部１の他側面に繋がる第１の手摺部４Ａに連続してフラッ
ト部２の外側縁を覆う第２の手摺部７Ａが一体成形されているものであるため、
階段ユニットＰ同士を、前記段板部１の位置が前記束壁部３に対して互い違いと
なるようにして束壁部３，３同士を積み上げて上下方向において連結し、第２の
手摺部７Ａ，７Ａ同士及びフラット部２，２同士の側縁を継手筋結合するか、又
は溶接、あるいはボルト締めすることによって組立階段を完工することができる
。なお、図５ないし図７における１４はフラット部２，２同士の側縁を溶接ある
いはボルト締めによって継接するときに用いる凹溝であり、当該凹溝１４は前記
同様階段の組み立て後にモルタル充填等による化粧仕上げによって処理される。
【００２７】
このように、図５ないし図７に示す実施例によった場合は、揚重機等による吊
り上げ回数を、図１ないし図４に示す実施例の場合よりさらに減ずることができ
作業性が一層良好になると共に、当然ながら外部足場等が不要となるため作業現
場環境も大幅に改善されることとなる。
【図面の簡単な説明】
【００２８】
【図１】一フロア分を３ピース化した階段ユニット及び当該階段ユニットを用いた組立階段の斜視図である。
【図２】図１に示す組立階段の側面図である。
【図３】図１に示す組立階段の平面図である。
【図４】フラット部同士の開口部におけるプレキャストコンクリート製手摺版の取付部の部分拡大断面図である。
【図５】一フロア分を２ピース化した階段ユニット及び当該階段ユニットを用いた組立階段の斜視図である。
【図６】図５に示す組立階段の側面図である。
【図７】図５に示す組立階段の平面図である。
【符号の説明】
【００２９】
１：段板部
２：フラット部
３：束壁部
４：手摺部
４Ａ：第１の手摺部
５：継手筋
６：継手筋
７：手摺版
７Ａ：第２の手摺部
８：継手筋
９：挿通孔
１０：凹溝
１１：ナット
１２：シール部材
１３：排水溝
１４：凹溝
【図１】
2005146687.tif 000003
【図２】
2005146687.tif 000004
【図３】
2005146687.tif 000005
【図４】
2005146687.tif 000006
【図５】
2005146687.tif 000007
【図６】
2005146687.tif 000008
【図７】
2005146687.tif 000009